(57)【要約】      （修正有）【課題】動力伝達手段に大きな負荷を掛けず、デッドボルトの突出量に対して錠箱の扉見付方向の幅寸法を短くし、組み立てが容易である錠前の提供。【解決手段】一端部がデッドボルト４側の第１ピン６に、他端部がダルマ３側の第２ピン７に軸支され、かつダルマの回転力をデッドボルトの進退動に変換する駆動リンク５を備え、施錠時、デッドボルト用ストッパ１９Ａが、駆動リンクとは異なる作動アーム１４Ａの位置変位により、デッドボルトの後端面と錠箱１の後壁１ｂの内壁面との間の空間に入り込んでデッドボルトの後退を阻止する錠前Ｘに於いて、作動アームはその一端部が第２ピンに対して所定間隔離間するダルマ側の第３ピン８に軸支され、かつ他端部にデッドボルト用ストッパを一体的に有し、デッドボルト用ストッパは錠箱に直接又は間接的に設けられた上下方向の案内切欠部２０Ａに案内されると共に、施錠時、デッドボルトの後退を阻止する横棒突起である。【選択図】図１
2011094331.tif 000002
【特許請求の範囲】
【請求項１】
一端部がデッドボルト側の第１ピンに、一方、他端部がダルマ側の第２ピンに軸支され、かつダルマの回転力をデッドボルトの進退動に変換する駆動リンクを備え、施錠時、デッドボルト用ストッパが、前記駆動リンクとは異なる作動アームの位置変位により、前記デッドボルトの後端面と錠箱の後壁の内壁面との間の空間に入り込んで該デッドボルトの後退を阻止する錠前に於いて、
前記作動アームは、前記駆動リンクに対して二本目のリンクであること、また、その一端部が前記ダルマの周端部に前記ダルマ側の第２ピンに対して所定間隔離間するダルマ側の第３ピンに軸支され、かつ、他端部に前記デッドボルト用ストッパを一体的に有し、該デッドボルト用ストッパは、錠箱に直接又は間接的に設けられた上下方向の案内切欠部に案内されると共に、施錠時、前記デッドボルトの後退を阻止する横棒突起である錠前。
【請求項２】
請求項１に於いて、デッドボルト用ストッパは、少なくとも錠箱の左右の側壁に設けられた一対の曲線形状案内切欠部の垂直部分に係止状態に架設されていることを特徴とする錠前。
【請求項３】
請求項１に於いて、解錠状態から施錠状態に至る途中に於いて、デッドボルト用ストッパが曲線形状案内切欠部に案内されながらデッドボルトの後端部に形成された傾斜状受け面を押し付けることを特徴とする錠前。
【発明の詳細な説明】
【技術分野】
【０００１】
本発明は、ビル、マンション等の扉の自由端部に設置される錠前に関する。
【背景技術】
【０００２】
特許文献１には、「操作部材の操作力又は駆動モータの駆動力で回転するダルマの回転力を、一端部がデッドボルト側の第１ピンに、一方、他端部がダルマ側の第２ピンにそれぞれ軸支されかつデッドボルトの進退動に変換する駆動リンクを備え、施錠時、デッドボルト用ストッパが、前記駆動リンクとは異なる作動アームの位置変位により、前記デッドボルトの後端面と錠箱の後壁の内壁面との間の空間に入り込んで該デッドボルトの後退を阻止する錠前」が記載されている。
【０００３】
上記特許文献１の錠前は、次に列挙するような問題点があった。
（ａ）作動アーム１４は、一端部がデッドボルト側の第１ピン６に軸支された第１リンク５及び該第１リンク５の後端部に可動連結ピン１２を介して連結された動力伝達手段１１側の第２リンク（揺動板）８に対する三番目の第３リンクに相当することから、リンク機構等が複雑になる。
（ｂ）また、デッドボルト用ストッパ１９は、前記三番目の第３リンクの後端部に連結手段（案内ピン１７、案内長孔１６）及び錠箱に形成された垂直案内切欠部２０をそれぞれ介して上下方向にスライドする幅広の板体であることから、作動アーム１４と別個の部材を錠箱の後壁側に配設しなければならない。
（ｃ）第３リンクに相当する作動アーム１４の先端部をデッドボルトにピン１３を介して軸支すると共に、第１リンク５及び該第１リンク５に連動するようにフック部１５を可動連結ピン１２に係止しなければならないので、組み合わせが面倒である。
（ｄ）可動連結ピン１２を上下方向に移動させる必要があるので、デッドボルト４に案内切欠２１を形成しなければならない。したがって、デッドボルト４が変形し易くなる。
（ｅ）駆動リンク５のみで、デッドボルトを突っ張るように押し出すと同時に、駆動リンク５と共働する作動アーム１４で幅広板体のデッドボルト用ストッパ１９を持ち上げるので、動力伝達手段１１に大きな負荷がかかる。
【０００４】
そこで、現在、動力伝達手段１１に大きな負荷を掛けないこと、デッドボルトの突出量に対して錠箱の扉見付方向の幅寸法を短くすること、組み立てが容易であること等の諸効果を同時に満たす錠前の出現が要望されている。
【先行技術文献】
【特許文献】
【０００５】
【特許文献１】実公平３−３６３８６号
【発明の概要】
【発明が解決しようとする課題】
【０００６】
本発明の所期の目的は、動力伝達手段に大きな負荷を掛けないこと、デッドボルトの突出量に対して錠箱の扉見付方向の幅寸法を短くすること、組み立てが容易であること等の諸効果を同時に満たす錠前を提供することである。第２の目的は、デッドボルトに対して、バール等の外的な攻撃があっても、容易に押し戻されないこと（防犯性の確保）である。その他、解錠状態から施錠状態に至る途中に於いて、二本目のリンク（駆動リンクに連結されていないこと）に相当する作動アームが、駆動リンクに共働として補助的にデッドボルトを押し付けることができることである。
【課題を解決するための手段】
【０００７】
本発明の錠前は、一端部がデッドボルト側の第１ピンに、一方、他端部がダルマ側の第２ピンに軸支され、かつダルマの回転力をデッドボルトの進退動に変換する駆動リンクを備え、施錠時、デッドボルト用ストッパが、前記駆動リンクとは異なる作動アームの位置変位により、前記デッドボルトの後端面と錠箱の後壁の内壁面との間の空間に入り込んで該デッドボルトの後退を阻止する錠前に於いて、前記作動アームは、前記駆動リンクに対して二本目のリンクであること、また、その一端部が前記ダルマの周端部に前記ダルマ側の第２ピンに対して所定間隔離間するダルマ側の第３ピンに軸支され、かつ、他端部に前記デッドボルト用ストッパを一体的に有し、該デッドボルト用ストッパは、錠箱に直接又は間接的に設けられた上下方向の案内切欠部に案内されると共に、施錠時、前記デッドボルトの後退を阻止する横棒突起であることを特徴とする。
【発明の効果】
【０００８】
（ａ）駆動リンクに対して二本目のリンクである作動アームの他端部に、施錠時、錠箱側の案内切欠部に案内されてデッドボルトの後退を阻止する駒形突起あるいは横棒突起を直接設けたので、簡単なリンク機構を採用することができ、その結果、動力伝達手段に大きな負荷を掛けない、デッドボルトの突出量に対して錠箱の扉見付方向の幅寸法を短くすることができる、組み立てが容易である等の諸効果を同時に満たすことができる。
（ｂ）請求項２に記載の発明は、デッドボルト用ストッパが、少なくとも錠箱の左右の側壁に設けられた一対の曲線形状案内切欠部の垂直部分に係止状態に架設されているので、デッドボルトに対して、バール等の外的な攻撃があっても、容易に押し戻されないこと（防犯性の確保）。
（ｃ）請求項３に記載の発明は、解錠状態から施錠状態に至る途中に於いて、二本目のリンクに相当する作動アームが、駆動リンクに共働として補助的にデッドボルトを押し付けることができるので、動力伝達手段に極力大きな負荷を掛けないにすることができる。
【図面の簡単な説明】
【０００９】
図１乃至図７は本発明の第１実施例を示す各説明図。図８乃至図９は本発明の第２実施例を示す各説明図。
【図１】実施環境を示す概略断面説明図（施錠時）。
【図２】実施環境を示す概略断面説明図（解錠時）。
【図３】要部の分解斜視図。
【図４】解錠時、デッドボルトの後端面から見た概略断面説明図。
【図５】施錠時、デッドボルトの後端面から見た概略断面説明図。
【図６】主要部の作動状態を示す概略説明図（解錠―途中―施錠）。
【図７】本発明の効果の一つを示す概略説明図（ガラス扉に適用した一例）。
【図８】第２実施例の要部を分解斜視図。
【図９】第１実施例の図４と同様の概略断面説明図。
【図１０】第１実施例の図５と同様の概略断面説明図。
【発明を実施するための最良の形態】
【００１０】
以下、図１乃至図７を参照にして、第１実施例により本発明を詳細に説明する。図１は扉を閉めたときに於いて、ダルマが反時計方向に回転したことにより、デッドボルトが突出して扉枠の受け具に係合すると同時に、作動アームの他端部のストッパがデッドボルトの後退を阻止した施錠状態を示す。
【００１１】
まず、図１を参照にして、本発明の実施環境を説明する。特許文献１の構成は複雑であるが、説明の便宜上、特許文献１と同様の用語や同様の符号を用いる。
【００１２】
１は錠箱、１ａは錠箱の前壁、１ｂは錠箱の後壁、１ｃは錠箱の幅広側壁（以下、「側壁」という）、１ｄは貫孔である。錠箱１には、嵌合孔、ピン用孔、取付け孔等が適宜に形成されている。また、錠箱１は、周知のように扉２の自由端部に取り付けらけれている。さらに、特に図示しないが、駆動モータ、駆動モータの駆動力を伝達する動力伝達機構、検出手段等が適宜に配設されている（例えば電気錠）。
【００１３】
さて、ここでは、Ｘを錠前、Ｙを戸枠、Ｚを受け金具とする。本発明の錠前Ｘは、動力伝達機構を構成するダルマ（当業者用語）３の回転力により、動力変換手段５を介してデッドボルト（当業者用語）４を進退動（例えば水平運動）に変える。
【００１４】
動力変換手段５は、特許文献１と同様に駆動リンク５である。したがって、本発明の駆動リンク５も、図示しない操作部材の操作力又は駆動モータの駆動力で回転するダルマ３の回転力３を、一端部がデッドボルト４側の第１ピン６に、一方、他端部がダルマ側の第２ピン７にそれぞれ軸支され、かつ、デッドボルト４の進退動に変換する。
【００１５】
しかしながら、本実施例の駆動リンク５は、その一端部（先端部）がデッドボルト４の本体４ａの上辺に設けられた突起４ｂに第１ピン６を介して軸支され、一方、その他端部（末端部）は、ダルマ３の外周縁部に第２ピン７を介して直接軸支されている点が特許文献１のリンクとは異なる。
【００１６】
次に、本発明の錠前Ｘも、施錠時、デッドボルト用ストッパ１９Ａが、前記駆動リンク５とは異なる作動アーム１４Ａの位置変位により、デッドボルト４の後端面と錠箱１の後壁１ｂの内壁面との間の空間Ａに入り込んで該デッドボルト４の後退を阻止する点は同様である。
【００１７】
しかしながら、本発明の作動アーム１４Ａは、前記駆動リンク５に対して二本目のリンク（駆動リンクに連結されていないこと）であること、付言すると、引用文献１の如く、１本目、二本目及び三本目をそれぞれ連係させて一つのリンク機構を構成していないこと。また、その一端部（上端部）がダルマ３の周端部にダルマ側の第２ピン７に対して所定間隔離間するダルマ側の第３ピン８に軸支され、かつ、他端部（下端部）にデッドボルト用ストッパ１９Ａを一体的に有し、該デッドボルト用ストッパ１９Ａは、錠箱の左右の側壁１ｃ、１ｃに直接又は間接的（本実施例）に設けられた上下方向の曲線形状案内切欠部２０Ａ、２０Ａに案内されると共に、施錠時、前記案内切欠部２０Ａの終端部分に相当する垂直部２０ｃに落ち込んで、該デッドボルト４の後退を確実に阻止（ロック）する横棒突起（本実施例）である点が異なる。
【００１８】
例えば曲線形状案内切欠部２０Ａは、錠箱１の左右側壁１ｃ、１ｃの各内壁面にそれぞれ固定された一対の案内固定板９，９にそれぞれ対向するように形成されている。
【００１９】
そして、曲線形状案内切欠部２０Ａは、例えば図１で示すように、上下方向に「ややＳ字型カーブ」を描くように形成され、その上端部に相当する垂直部分の始点２０ａから、中途部に相当する弧状或いは傾斜状部分２０ｂと、終端部分に相当する垂直部２０ｃとから成る。また、横棒突起のデッドボルト用ストッパ１９Ａは、例えば図３で示すように、両端部が前記左右一対の曲線形状案内切欠部２０Ａ、２０Ａに架設された状態で係合していると共に、常に並行する左右一対の作動アーム１４Ａの他端部（下端部）に一体的に取り付けられ或いは形成されている。
【００２０】
上記構成に於いて、図４は、解錠時、デッドボルトの後端面から見た概略断面説明図、図５は、施錠時、デッドボルトの後端面から見た概略断面説明図、そして、図６は、主要部の解錠と、途中と、施錠状態をそれぞれ示す概略説明図である。
【００２１】
これらの図から明らかなように、解錠時、デッドボルト４は、錠箱１内に後退している。この時、駆動リンク５は水平状態であるのに対して、作動アーム１４Ａはデッドボルト４の上辺に垂直状態になっている。付言すると、駆動リンク５の第１ピン６と第２ピン７は、同一水平線上に位置し、また、作動アーム１４Ａの第３ピン８の真下に横棒状のストッパ１９Ａが位置している。そして、作動アーム１４Ａの下端部又はストッパ１９Ａは、デッドボルト４の後端部に形成された傾斜状受け面１０の上端部分１０ａに当接している。
【００２２】
そこで、例えば図示しない駆動モータが駆動すると、動力伝達機構を構成するダルマ３が反時計方向に回転し始める。ダルマ３が反時計方向に回転すると、ダルマ３とデッドボルト４は、第１ピン６、第２ピン７及び駆動リンク５を介して連結されているから、前記駆動リンク５がダルマ３の回転力を変換する押圧機能（突っ張り機能）を発揮し、デッドボルト４は突出方向へと水平移動する。そして、ダルマ３が回転し続けると、解錠状態から施錠状態に至る途中に於いて、デッドボルト用ストッパ１９Ａが曲線形状案内切欠部２０Ａの中途部分２０ｂに案内されながらデッドボルト４の後端部の傾斜状受け面１０を押し付ける。つまり、二本目のリンクに相当する作動アーム１４Ａが、駆動リンク５に共働として補助的にデッドボルト４を押し付ける。
【００２３】
そして、施錠時、駆動リンク５が所定位置にて傾倒状態になると（例えば駆動モータが停止すると）、ストッパ１９Ａが案内切欠部の終点に相当する垂直部２０ｃに落ち込んで、該デッドボルト４の後退を阻止する。付言すると、デッドボルト用ストッパ１９Ａは、少なくとも錠箱１の左右の側壁に間接的に設けられた一対の曲線形状案内切欠部２０Ａ、２０Ａの垂直部分２０ｃ、２０ｃに係止状態に架設されているので、デッドボルト４は容易に後退しない。
【００２４】
ところで、図７は本発明の効果の一つを示す概略説明図で、デッドボルトの突出量Ｌに対して錠箱１の扉見付方向の幅寸法Ｌ１を短くすることができることを示す。すなわち、デッドボルトの突出量Ｌは、普通一般の錠前に於いて、略同一の突出量であるところ、本発明にあっては、二本目のリンクに相当する作動アームの他端部（下端部）に横棒突起のデッドボルト用ストッパ１９Ａを一体的に設けたので、デッドボルト自体の長さ並びにデッドボルトの後端面と錠箱の後壁の内壁面との間の空間Ａを狭くすることができるので、錠箱１の側壁１ｃを狭めることができる。したがって、錠前Ｘをガラス扉２の縦框２ａの中に余裕をもって組み込むことが可能となる。
【実施例】
【００２５】
本実施例では、ダルマ３は、図示しない駆動モータの駆動力により回転し始める旨を説明したが、ダルマ３の回転力は、周知事項、公知事項及び新規事項のいずれでも良い。すなちわ、駆動モータの駆動力、或いはサムターン摘みや合鍵による操作力、或いはまた、付勢手段の付勢力のいずれかにより、ダルマ３が回転すれば良い。また、解錠状態から施錠状態に至る途中に於いて、望ましくはデッドボルト用ストッパ１９Ａが曲線形状案内切欠部２０Ａに案内されながらデッドボルトの後端部の傾斜状受け面１０を押し付ける。
【００２６】
次に、図８乃至図１０は、本発明の第２実施例を示す各説明図である。この第２実施例に於いて、第１実施例と主に異なる点は、錠箱１の左右側壁１ｃ、１ｃの各内壁面にそれぞれ固定された一対の案内固定板９Ａ，９Ａである。
【００２７】
第１実施例では、デッドボルト４を案内する図示しない水平切欠部を、例えば錠箱１の左右の側壁にそれぞれ形成しているが、この第２実施例では、各部材の組み合わせの容易性の観点から、錠箱１の側壁１ｃのみならず、案内固定板９Ａ，９Ａにも形成している。
【００２８】
すなわち、案内固定板９Ａは、錠箱の扉見付方向の幅寸法が第１実施例のそれよりも大きく、該案内固定板９Ａには、曲線形状案内切欠部２０Ａに連通する（本実施例）又は連通しないで、デッドボルト４の左右の側壁にそれぞれ設けた左右一対の案内突起４ｃ、４ｃを案内する水平切欠部２０ｄ、２０ｄが形成されている。該構成に於いては、案内固定板９Ａは、デッドボルト４を案内する機能も有する。なお、の第２実施例に於いて、左右の一対の案内固定板９Ａを側壁１ｃの内面にそれぞれ固定した場合に於いて、必ずしも側壁１ｃに曲線形状案内切欠部２０Ａ及び水平切欠部２０ｄを設ける必要はない。
【産業上の利用可能性】
【００２９】
本発明は、錠前や建具の分野で用いられる。
【符号の説明】
【００３０】
Ｘ…錠前、Ｙ…戸枠、Ｚ…受け金具、１…錠箱、１ａ…前壁、１ｂ…後壁、１ｃ…側壁２…扉、３…ダルマ、４…デッドボルト、５…駆動リンク、６…第１ピン、７…第２ピン、８…第３ピン、９，９Ａ…案内固定板、１４Ａ…作動アーム、１９Ａ…ストッパ、２０Ａ…曲線形状案内切欠部、２０ａ…始点、２０ｃ…終点（垂直部）。
【図１】
2011094331.tif 000003
【図２】
2011094331.tif 000004
【図３】
2011094331.tif 000005
【図４】
2011094331.tif 000006
【図５】
2011094331.tif 000007
【図６】
2011094331.tif 000008
【図７】
2011094331.tif 000009
【図８】
2011094331.tif 000010
【図９】
2011094331.tif 000011
【図１０】
2011094331.tif 000012